(57)【要約】      （修正有）【課題】仰臥状態で搬送しなければならない人を容易に乗せて、被搬送者を迅速に容易に滑らないように固定でき安定した状態で搬送できる簡易搬送具を提供する。【解決手段】被搬送者を搬送する、弾性を有する樹脂からなるシートを備えた簡易搬送具１であって、平面視で、長手方向の一端側に円形又は楕円形からなる臀部嵌入用穴３を形成し、長手方向の外縁部の左右それぞれに２か所ずつの把持部４を設けた。【選択図】図１
0003206933.tif 000002
【実用新案登録請求の範囲】
【請求項１】
被搬送者を搬送する、弾性を有する樹脂からなるシートを備えた簡易搬送具であって、
平面視で、長手方向の一端側に円形又は楕円形からなる臀部嵌入用穴を形成し、長手方向の外縁部の左右それぞれに２か所ずつの把持部を設けたことを特徴とする簡易搬送具。
【請求項２】
前記把持部が、前記シートに設けた把持用穴と、前記把持用穴の周囲であって前記シートの裏面に設けた平板状で前記把持用穴と同じ大きさの貫通穴を有する補強板と、前記把持部の握り手部分に折り曲げ部が丸みを有する上下方向の断面が略コ字状の把持部カバーとを備えたことを特徴とする請求項１に記載の簡易搬送具。
【考案の詳細な説明】
【技術分野】
【０００１】
本考案は、緊急現場などの緊急な搬送を必要とする症状や傷害がある人、介護施設でベッド等で寝たきりの仰臥状態の被介護者、歩行できないでベッド等で寝たきりの仰臥状態の傷病者等を容易に早く乗せて搬送する簡易搬送具に関する。
【背景技術】
【０００２】
特許文献１には、両サイドに取手部を有し、弾性を持った薄い略長方形状の板状ボードの３組を人体の下に挿入して片側３名ずつの６名で搬送する簡易人体搬送ボードが開示されている。
【先行技術文献】
【特許文献】
【０００３】
【特許文献１】特開２０１０−１４８５７６号公報
【考案の概要】
【考案が解決しようとする課題】
【０００４】
特許文献１の発明は、複数枚の略長方形状の板状ボードを人体の下に挿入させるため、実施例では３枚の板状ボードを挿入させるため、緊急のときに時間がかかるという問題があった。
【０００５】
また、複数枚の略長方形状の板状ボードを連結させなければ搬送中に人体を板状ボードに固定させることができずに人体が板状ボードから滑り落ちやすいという問題があった。そのため複数枚の板状ボードを紐で連結するが、この紐を通して結ぶのに時間を要し緊急のときに搬送する準備に時間がかかり過ぎるという問題があった。
【０００６】
また、複数の略長方形状の板状ボードの両端に穿穴した穴に紐を通すため、人体の荷重で板状ボードの穴の縁が紐で破損されやすく、板状ボード自体が使用不能になりやすいという問題があった。
【０００７】
また、複数枚の板状ボードを人体の下に挿入させて片側に挿入した枚数と同じ人数の搬送人を必要とするため、実施例では引用文献１の段落［０００９］に記載されているように６名を必要とするので、例えば救急車は運転者１名と救急要員２名が乗車しているが、救急車の場合には搬送をする人員が足りないという問題があった。
【０００８】
そして、複数枚の板状ボードや、それぞれの板状ボードを連結させる複数の紐を保管しなければならず、容器に収納していなければ紐が紛失しやすく緊急の時に複数の板状ボードを連結させることができないという問題があった。そして収納する容器は幅を有するため、例えば救急車の社内に保管をする場合には、救急車の狭い車内には前記容器の保管スペースを確保しにくいという問題があった。
【０００９】
本考案はこうした問題に鑑み創案されたもので、仰臥状態で搬送しなければならない人を容易に乗せて、被搬送者を迅速に容易に滑らないように固定でき安定した状態で搬送できる簡易搬送具を提供することを課題とする。
【課題を解決するための手段】
【００１０】
請求項１に記載の簡易搬送具１の考案は、被搬送者Ｐを搬送する、弾性を有する樹脂からなるシート２を備えた簡易搬送具１であって、平面視で、長手方向の一端側に円形又は楕円形からなる臀部嵌入用穴３を形成し、長手方向の外縁部の左右それぞれに２か所ずつの把持部４を設けたことを特徴とする。
【００１１】
請求項２に記載の簡易搬送具１の考案は、請求項１において、前記把持部４が、前記シート２に設けた把持用穴５と、前記把持用穴３の周囲であって前記シート１の裏面に設けた平板状で前記把持用穴５と同じ大きさの貫通穴を有する補強板６と、前記把持部４の握り手部分に折り曲げ部が丸みを有する上下方向の断面が略コ字状の把持部カバー７とを備えたことを特徴とする。
【考案の効果】
【００１２】
請求項１に記載の簡易搬送具１は、１枚の弾性を有する樹脂からなるシート２を、仰臥状態の被搬送者Ｐに一旦横向きになってもらって被搬送者Ｐの臀部Ｄの位置に臀部嵌入用穴３がくるようにして被搬送者Ｐに再度仰臥してもらうことによりすぐに容易に搬送できるので、被搬送者Ｐを乗せる時間短縮になり、緊急時に迅速に被搬送者Ｐを搬送できるという効果を奏する。
【００１３】
臀部嵌入用穴３に被搬送者Ｐの臀部Ｄを嵌め込むことにより臀部Ｄの位置が固定化されるので、搬送中の被搬送者Ｐの簡易搬送具１に対する滑り止めになり、被搬送者Ｐの上半身及び下半身も安定させることができるという効果を奏する。担架であれば被搬送者を安定させるためにベルトで被搬送者を締め付けるが、本考案の簡易搬送具１は臀部嵌入用穴３に被搬送者Ｐの臀部Ｄを嵌め込むことより前記ベルトの締め付けの効果を達成させることができる。よって、担架の場合に行うベルトの締め付け作業が全く不要であり、被搬送者Ｐの臀部Ｄを臀部嵌入用穴３に嵌入させるとすぐに被搬送者Ｐの滑り止めと安定化を実現させることができる。つまり被搬送者Ｐを簡易搬送具１の上に乗せると同時に被搬送者Ｐの滑り止めと安定化を実現できるので、乗せるとすぐに搬送を始めることができる。これにより搬送作業の作業時間の短縮を大幅に実現でき、緊急の場合に迅速に搬送できる。
【００１４】
また、被搬送者Ｐの頭部を含む上半身から大腿部を含む下半身までを幅広く支えるため、搬送中の被搬送者Ｐの仰臥姿勢を安定させるという効果を奏する。
【００１５】
また、簡易搬送具１に被搬送者Ｐを載せて２名で搬送できるため、例えば搬送する介護職員が２名でいいし、また被搬送者Ｐの家族の手を借りなくても救急車の乗員の２名だけで搬送できるので、迅速に搬送完了できる。
【００１６】
そして、薄板状であるため、介護施設に場所を取らずに収納でき、また救急車の狭い車内であっても幅の狭い隙間に業務に支障にならずに、すぐ取り出せる場所に収納できるという効果を奏する。
【００１７】
請求項２に記載の簡易搬送具１は、請求項１に記載の効果を有するとともに、把持部４がシート２と補強板６と把持部カバー７との４枚の板状体を重ね合せた重ね合せ部であるので厚みが厚くなるため、被搬送者Ｐを載せた簡易搬送具１を把持する手が痛くなりにくく長時間にわたり把持することができる。
【図面の簡単な説明】
【００１８】
【図１】本考案の簡易搬送具の概要を示した平面図である。
【図２】本考案の簡易搬送具の概要を示した正面図である。
【図３】本考案の簡易搬送具の概要を示した裏面図である。
【図４】図３における締結手段を省略したＡ−Ａ断面図である。
【図５】簡易搬送具を用いて被搬送者を搬送する状態を示す平面視の説明図である。
【図６】簡易搬送具を用いて被搬送者を搬送する状態を示す正面視の説明図である。
【考案を実施するための形態】
【００１９】
本考案である簡易搬送具１は、図１乃至３に示すように、被搬送者Ｐを搬送する、弾性を有する樹脂からなるシート２を備えた簡易搬送具１であって、平面視で、長手方向の一端側に円形又は楕円形からなる臀部嵌入用穴３を形成し、長手方向の外縁部の左右それぞれに２か所ずつの把持部４を設けている。
【００２０】
前記シート２の平面視の外郭形状は、平面視で略長方形状であればよい。好ましいのは、図１又は図３に示すように、被搬送者Ｐの頭部側となる長手方向の他端側は左右の角Ｋに大きなＲを形成し、被搬送者Ｐの脚側となる長手方向の一端側は臀部嵌入用穴３の外側であってシート２の端部側に幅広の環状部位１１を形成させた形体がより好ましい。前記環状部位１１の平面視の外縁形状は円状でも楕円状でもよい。この環状部位１１を形成させた形体の方が、より軽量化でき、角部がないので被搬送者Ｐの背面に簡易搬送具１を滑り込ませやすいし取扱いやすいという効果を有する。
【００２１】
簡易搬送具１は、図６に示すように、被搬送者Ｐを乗せた瞬間に臀部嵌入用穴３に被搬送者Ｐの臀部Ｄを嵌入させる。この臀部嵌入用穴３に被搬送者Ｐの臀部Ｄを嵌入させると、簡易搬送具１に対する臀部Ｄの位置が固定化されるので、被搬送者Ｐが簡易搬送具１に対して滑らなくなるし安定した姿勢を維持できる。担架ではベルトの締め付けによって被搬送者を固定化するのに対して、本考案の簡易搬送具１はベルトの締め付け作業を不要とし被搬送者Ｐを乗せた瞬間に固定化できるという際立つ効果を有する。
【００２２】
図５に示すように、簡易搬送具１の一端側の幅広の環状部位１１で被搬送者Ｐの大腿部を支持し、他端側で頭部から腰部を支持できるので、寝た姿勢の仰臥状態の被搬送者Ｐを安定した姿勢で搬送でき、仰臥状態の被搬送者Ｐに無理な姿勢をさせないので被搬送者Ｐの負担を軽減させることができる。特に被搬送者Ｐが骨盤骨折の場合に被搬送者Ｐの傷害部位に余計な負担をかけないという効果を奏する。
【００２３】
前記シート２の短軸方向の幅は５００〜６５０ｍｍで長軸方向の長さは１１００〜１３００ｍｍで設定し、前記幅広の環状部位１１の幅は１００〜２００ｍｍで設定する。臀部嵌入用穴３は円状であって、その臀部嵌入用穴３の大きさは臀部Ｄが嵌入できる大きさになるように設定する。例えば、被搬送者Ｐの体重が約１００ｋｇまで使用可能な簡易搬送具１であって、シート２の材質がポリプロピレンで厚みが２ｍｍのシート２の短軸方向の幅が５１０ｍｍで長軸方向の長さが１２３５ｍｍの簡易搬送具１の重量は約１．２ｋｇで極めて軽量である。よって、簡易搬送具１はコンパクトであって軽量であるので、簡易搬送具１の重量をほとんど考慮することなく被搬送者Ｐの体重のみ考慮して２人で容易に搬送することができる。
【００２４】
前記シート２の厚みは板厚２〜３ｍｍの薄板状であって、前記シート２の材質は、簡易搬送具１を持ち運びしやすくするために軽量化を必要とし、重い体重の被搬送者Ｐの搬送に使用しても破損しにくくするための強度を必要とし、繰り返し長期間使用しても破損しにくくするための耐久性を必要とし、被搬送者Ｐの身体に沿って変形させるために弾性体であることを必要とするため、軽量、強度及び耐久性を有する弾性体の樹脂がよく、例えば、ポリプロピレン樹脂、ポリエチレン樹脂、ナイロン６又はナイロン１２などがある。これらの弾性を有する樹脂からなるシート２は、衣服を着用し仰臥状態の被搬送者Ｐの背中、腰部や大腿部の下に容易にセットすることができる。
【００２５】
次に把持部４について説明する。図１乃至図４に示すように、前記把持部４が、前記シート２に設けた把持用穴５と、前記把持用穴５の周囲であって前記シート２の裏面に設けた平板状で前記把持用穴５と同じ大きさの貫通穴を有する補強板６と、前記把持部４の握り手部分に折り曲げ部が丸みを有する上下方向の断面が略コ字状の把持部カバー７とを備えている。
【００２６】
前記補強板６と把持部カバー７と前記シート２とは貼設手段、又は、リベット等の締結手段１０で固定化させている。前記補強板６は前記把持用穴５の内周縁が被搬送者Ｐの荷重や搬送中の振動により破損しないように強度を高め、前記把持部カバー７はさらに把持部４の厚みを厚くでき、把持用穴５の手が当接する側の角のアールを大きくすることにより、被搬送者Ｐを搬送するときに搬送する人の手に食い込みにくくなって搬送する人が手に痛みを感じにくくなる。
【００２７】
前記補強板６や把持部カバー７の材質は、軽量化でき、重い体重の被搬送者の搬送に使用しても破損しにくくするための強度、繰り返し長期間使用しても破損しにくくするための耐久性、及び被搬送者Ｐの身体に沿って変形させるために弾性体であることを必要とするため、軽量、強度及び耐久性を有する弾性体の樹脂がよく、例えば、前記シートと同じの材質のポリプロピレン樹脂、ポリエチレン樹脂、ナイロン６又はナイロン１２などがある。
【００２８】
次に本考案の簡易搬送具１の使用方法について説明する。被搬送者Ｐは、緊急現場などの緊急な搬送を必要とする症状や傷害がある人、介護施設でベッド等で寝たきりの仰臥状態の被介護者、歩行できないでベッド等で寝たきりの仰臥状態の傷病者等を対象としている。
【００２９】
まず、被搬送者Ｐの横に簡易搬送具１を持っていき、被搬送者Ｐを横向きにし、簡易搬送具１を被搬送者Ｐの臀部Ｄの位置に臀部嵌入用穴３を合わせて置き、被搬送者Ｐを仰臥状態に戻す。そして、長手方向の外縁に設けた把持部４を片側１名ずつの搬送者が両手で持ちあげてそのまま搬送する。この持ち上げたときに被搬送者Ｐの臀部Ｄが臀部嵌入用穴３にしっかりと嵌入するので被搬送者Ｐは簡易搬送具１に対して滑らないし安定した姿勢を維持できる。
【符号の説明】
【００３０】
１            簡易搬送具
２            シート
３            臀部嵌入用穴
４            把持部
５            把持用穴
６            補強板
７            把持部カバー
１０          締結手段
１１          環状部位
Ｄ            臀部
Ｋ            角
Ｐ            被搬送者
【図１】
0003206933.tif 000003
【図２】
0003206933.tif 000004
【図３】
0003206933.tif 000005
【図４】
0003206933.tif 000006
【図５】
0003206933.tif 000007
【図６】
0003206933.tif 000008